(57)【要約】【課題】例えば玄関又は玄関前に設置して、手だけでなく、身に着用する物や、携帯する物や、屋内の物等を、容易かつ確実に消毒し、ウィルスや細菌の感染を効果的に防止することができる消毒装置を提供する。【解決手段】消毒装置は、起立体１に設置された消毒液ボトル４と、消毒液ボトル４から０．５〜５ｍ延びる延長チューブ５と、延長チューブ５の延端に取り付けられた噴出ノズル６とを含む。さらに起立体１には、履物を載せて消毒するためのマット７、指先を押し当てて消毒するためのパッド８、及び物を拭いて消毒するためのシート９が設置されている。また、起立体１には、身に着用する物又は携帯する物を掛けるための第１掛止部材１４、及びほうき又は靴べらを掛けるための第２掛止部材１９が設けられている。【選択図】図１
0003231820.tif 000002
【実用新案登録請求の範囲】
【請求項１】
起立体（１）に設置された消毒液ボトル（４）と、消毒液ボトル（４）から０．５〜５ｍ延びる延長チューブ（５）と、延長チューブ（５）の延端に取り付けられた噴出ノズル（６）とを含み構成されたことを特徴とする消毒装置。
【請求項２】
起立体（１）は、移動可能である請求項１記載の消毒装置。
【請求項３】
起立体（１）に、履物を載せて消毒するためのマット（７）が設置されている請求項１又は２記載の消毒装置。
【請求項４】
起立体（１）に、指先を押し当てて消毒するためのパッド（８）が設置されている請求項１〜３のいずれか一項に記載の消毒装置。
【請求項５】
起立体（１）に、物を拭いて消毒するためのシート（９）が設置されている請求項１〜４のいずれか一項に記載の消毒装置。
【請求項６】
起立体（１）に、身に着用する物又は携帯する物を掛けるための第１掛止部材（１４）が設けられている請求項１〜５のいずれか一項に記載の消毒装置。
【請求項７】
起立体（１）に、ほうき又は履物べらを掛けるための第２掛止部材（１９）が設けられている請求項１〜６のいずれか一項に記載の消毒装置。
【請求項８】
起立体（１）に、文字を掲示するための掲示板（２７）が設置されている請求項１〜７のいずれか一項に記載の消毒装置。
【考案の詳細な説明】
【技術分野】
【０００１】
本考案は、手や物に付いたウィルスや細菌を消毒するための消毒装置に関するものである。
【背景技術】
【０００２】
昨年来、新型コロナウィルス（ＣＯＶＩＤ−１９）が大流行し、その感染防止対策の一つとして、消毒液による手の消毒が推奨されている。そのための消毒装置として、特許文献１〜３に示されているように、所定の高さの台と、台に置かれた噴出ノズル付きのボトルと、足踏みペダルと、足踏みペダルの傾動を噴出ノズルのボタンを押す動きとして伝達する伝達機構とを備えた消毒装置が提案され、実用化されている。
【０００３】
この消毒装置は、手のひらを噴出ノズルの先にかざして使用するものであるから、手以外のものを消毒することには向いていない。
【先行技術文献】
【特許文献】
【０００４】
【特許文献１】実用新案登録第３２２７８７０号公報
【特許文献２】実用新案登録第３２２８５０３号公報
【特許文献３】実用新案登録第３２３０１９２号公報
【考案の概要】
【考案が解決しようとする課題】
【０００５】
しかし、手だけでなく、身に着用する物（マスク、服、帽子、マフラー、手袋、履物等）や、携帯する物（かばん、かご、手提げ袋等）や、屋内の物（天井、壁、ドアノブ、照明スイッチ等）も、消毒したいことがある。上記の消毒装置では、これら手以外の物を消毒することが困難であった。
【０００６】
そこで、本考案の目的は、例えば玄関又は玄関前に設置して、手だけでなく、身に着用する物や、携帯する物や、屋内の物等を、容易かつ確実に消毒し、ウィルスや細菌の感染を効果的に防止することができる消毒装置を提供することにある。
【課題を解決するための手段】
【０００７】
本考案の消毒装置は、起立体に設置された消毒液ボトルと、消毒液ボトルから０．５〜５ｍ延びる延長チューブと、延長チューブの延端に取り付けられた噴出ノズルとを含み構成されたことを特徴とする。
【０００８】
［作用］
消毒液ボトルから０．５〜５ｍ延びる延長チューブの延端に噴出ノズルが取り付けられていることから、該噴出ノズルを、手だけでなく、身に着用する物（マスク、服、帽子、マフラー、手袋、履物等）や、携帯する物（かばん、かご、手提げ袋など）や、屋内の物（天井、壁、ドアノブ、照明スイッチ等）等にも容易に近付けて、消毒液を噴出することができ、容易かつ確実に消毒することができる。延長チューブが０．５ｍ未満であると、噴出ノズルを手以外の物に近付けることが難しくなり、延長チューブが５ｍを越えると、扱いにくくなる。
【考案の効果】
【０００９】
本考案の消毒装置によれば、例えば玄関又は玄関前に設置して、手だけでなく、身に着用する物や、携帯する物や、屋内の物等を、容易かつ確実に消毒し、ウィルスや細菌の感染を効果的に防止することができる。
【図面の簡単な説明】
【００１０】
【図１】図１は実施例１の消毒装置を示す斜視図である。
【図２】図２は実施例２の消毒装置の要部を示す斜視図である。
【考案を実施するための形態】
【００１１】
［１］起立体
起立体としては、特に限定されないが、基台と該基体に支持された支柱とからなるもの、自立する箱、フレーム体等を例示できる。
起立体の材質としては、特に限定されないが、金属、樹脂、木等を例示できる。
起立体は、移動可能であるものが好ましく、持ち運び可能な起立体や、キャスタ付きの起立体を例示できる。
【００１２】
［２］消毒液ボトル等
消毒液ボトルの形状や容量は、特に限定されないが、容量は３００ｍｌ以上が好ましく、５００ｍｌ以上がより好ましく、１０００ｍｌ以上が最も好ましい。
消毒液ボトルに貯溜される消毒液としては、特に限定されないが、アルコール、次亜塩素酸水等を例示できる。
延長チューブの長さは、前記の通り０．５〜５ｍであるが、扱い易さの点では０．８〜４ｍがより好ましく、１〜３ｍが最も好ましい。
延長チューブの材料は、特に限定されないが、自在に屈曲可能な軟質樹脂又は軟質ゴムが好ましい。
噴出ノズルは、特に限定されないが、手動でレバー又はボタンを操作することにより消毒液を噴出できるものが好ましい。
【００１３】
［３］付加的な消毒手段
また、起立体に、履物を載せて消毒するためのマットが設置されていることが好ましい。マットとしては、消毒液を含浸しうるものであれば特に限定されないが、繊維敷きマット、樹脂突起マットを例示できる。
また、起立体に、指先を押し当てて消毒するためのパッドが設置されていることが好ましい。パッドとしては、消毒液を含浸しうるものであれば特に限定されないが、スポンジ樹脂、脱脂綿、海綿等を例示できる。
また、起立体に、物を拭いて消毒するためのシートが設置されていることが好ましい。シートとしては、消毒液を含浸しうるものであれば特に限定されないが、布巾、タオル、樹脂繊維シート、耐液ペーパー等を例示できる。
【００１４】
［４］起立体への付加物
また、起立体に、身に着用する物又は携帯する物を掛けるための第１掛止部材が設けられていることが好ましい。身に着用する物としては、特に限定されないが、マスク、服、帽子、マフラー、手袋、履物等を例示できる。携帯する物としては、特に限定されないが、かばん、かご、手提げ袋を掲示できる。
また、起立体に、ほうき又は履物べらを掛けるための第２掛止部材が設けられていることが好ましい。
また、起立体に、文字を掲示するための掲示板が設置されていることが好ましい。
【実施例】
【００１５】
本考案の実施例を図面を参照して説明する。なお、実施例の各部の構造、形状、材質、数等は例示であり、考案の要旨から逸脱しない範囲で適宜変更できる。
【００１６】
［実施例１］
図１及び図２に示す実施例１の消毒装置は、起立体１に設置された消毒液ボトル４と、消毒液ボトルから０．５〜５ｍ延びる延長チューブ５と、延長チューブ５の延端に取り付けられた噴出ノズル６とを含み構成されたものである。
【００１７】
起立体１は、金属製の基台２と、該基台２に支持された金属製の支柱３とからなるものである。
【００１８】
消毒液ボトル４は、例えば容量５００ｍｌの樹脂製ボトルである。消毒液ボトル４には、消毒液として例えばエチルアルコールが貯溜されている。消毒液ボトル４は、例えば支柱３の上下方向中間部に取り付けられたバッグ１０に挿入されることにより、起立体１に設置されている。
延長チューブ５は、屈曲可能な軟質樹脂により形成されており、基端が消毒液にひたるよう消毒液ボトル４の内底部にある。
噴出ノズル６は、手動でレバー６ａを操作することにより消毒液を消毒液ボトル４から吸引してノズル先端から噴出できるものである。
【００１９】
また、起立体１には、付加的な消毒手段として次のものが設置されている。
（ア）履物を載せて消毒するためのマット７
マット７は、基台２に置かれたトレイ１１に敷かれることにより、起立体１に設置されている。
（イ）指先を押し当てて消毒するためのパッド８
パッド８は、支柱３の上下方向中間部に取り付けられたラック１２に載せられた箱１３に入れられることにより、起立体１に設置されている。
（ウ）物を拭いて消毒するためのシート９
シート９は、前記ラック１２に載せられることにより、起立体１に設置されている。
【００２０】
また、支柱３には、身に着用する物又は携帯する物を掛けるための第１掛止部材１４が設けられている。図示例の第１掛止部材１４は、支柱３の上部から一側方へ延びる、掛止突起１６付きのバー１５と、支柱３の上部から他側方へ延びる、フック１８付きのバー１７とからなる。
【００２１】
また、支柱３には、ほうき又は履物べらを掛けるための第２掛止部材１９が設けられている。図示例の第２掛止部材１９はフックである。
【００２２】
以上のように構成された実施例１の消毒装置は、例えば次のように使用することができる。
（１）消毒装置を、例えば玄関又は玄関前に設置する。
【００２３】
（２）帰宅時には、噴出ノズル６から、手に消毒液を吹き付けて消毒する。
また、噴出ノズル６から、マット７とパッド８とシート９に消毒液を吹き付けて含浸させる。
指先を、パッド８に押し当てて消毒する。
脱いだ履物２１を、マット７に置いて消毒する。
外したマスク２２や脱いだ服２３や帽子２４（その他、マフラー、手袋、かばん、かご、手提げ袋等）を、第１掛止部材１４に掛ける。これらに噴出ノズル６から消毒液を吹き付けたり、シート９で拭いたりして消毒する。また、必要に応じて、これらに付いた汚れ等を、第２掛止部材１９から外したほうき２５により払うこともできる。
上記が終わったら、噴出ノズル６から、玄関内の物（天井、壁、ドアノブ、照明スイッチ等）に消毒液を吹き付けて消毒する。その後、洗面所へ行き、うがいをする。
【００２４】
（３）外出時には、上記で消毒した物を着用したり携帯したりすることができる。
また、履物２１をはく際に、第２掛止部材１９から外した靴べら２６を用いることができる。
【００２５】
本実施例によれば、消毒液ボトル４から０．５〜５ｍ延びる延長チューブ５の延端に噴出ノズル６が取り付けられていることから、該噴出ノズル６を、手だけでなく、身に着用する物や、携帯する物や、屋内の物等にも容易に近付けて、消毒液を噴出することができ、容易かつ確実に消毒することができる。
【００２６】
［実施例２］
図２に示す実施例２の消毒装置は、支柱３の上部に、文字を掲示するための掲示板２７が設置されている点においてのみ実施例１と相違し、その他は実施例１と共通するものである。
本実施例によれば、実施例１による上記作用効果に加え、文字による連絡、意思伝達、意識付け等が可能になる。
【００２７】
なお、本考案は前記実施例に限定されるものではなく、考案の要旨から逸脱しない範囲で適宜変更して具体化することができる。
【符号の説明】
【００２８】
１    起立体
２    基台
３    支柱
４    消毒液ボトル
５    延長チューブ
６    噴出ノズル
６ａ  レバー
７    マット
８    パッド
９    シート
１０    バッグ
１１    トレイ
１２    ラック
１３    箱
１４    第１掛止部材
１５    バー
１６    掛止突起
１７    バー
１８    フック
１９    第２掛止部材
２１    履物
２２    マスク
２３    服
２４    帽子
２５    ほうき
２６    靴べら
２７    掲示板
【図１】
0003231820.tif 000003
【図２】
0003231820.tif 000004